(57)【要約】【課題】少ない工数で樹脂基板を含む各種基板に配置したカラーフィルターにおける各色の混色部分であるフィルター境界部分を除去し得るカラーフィルター付きパネル基板の製造方法、その製造方法により作製したカラーフィルター付きパネル基板および、そのカラーフィルター付きパネル基板を用いて構成した情報表示用パネルを提供する。【解決手段】表示媒体を駆動させて表示を行う情報表示用パネルに用いるカラーフィルター付きパネル基板を作製する際には、透明基板に所定パターンの三原色のカラーフィルター１１Ｒ，１１Ｇ，１１Ｂを形成し、前記三原色のカラーフィルターにおける各色の混色部分であるフィルター境界部分１２をドライエッチングによって除去して、三原色のカラーフィルターの混色部分が除去されたフィルター境界部分１２にブラックマトリックス１４を形成する。【選択図】図８
2008116895.tif 000002
【特許請求の範囲】
【請求項１】
表示媒体を駆動させて表示を行う情報表示用パネルに用いるカラーフィルター付きパネル基板の製造方法であって、
透明基板に所定パターン三原色のカラーフィルターを形成するカラーフィルター形成工程と、
前記三原色のカラーフィルターにおける各色の混色部分であるフィルター境界部分をドライエッチングによって除去するフィルター境界部分除去工程と、を行うことを特徴とするカラーフィルター付きパネル基板の製造方法。
【請求項２】
表示媒体を駆動させて表示を行う情報表示用パネルに用いるカラーフィルター付きパネル基板の製造方法であって、
透明基板に所定パターンの三原色のカラーフィルターを形成するカラーフィルター形成工程と、
前記三原色のカラーフィルターにおける各色の混色部分であるフィルター境界部分をドライエッチングによって除去するフィルター境界部分除去工程と、
前記フィルター境界部分除去工程によって三原色のカラーフィルターの混色部分が除去されたフィルター境界部分の全てまたは一部に、インクジェット法によってブラックマトリックスを形成するブラックマトリックス形成工程と、を行うことを特徴とするカラーフィルター付きパネル基板の製造方法。
【請求項３】
前記透明基板に所定パターンの三原色のカラーフィルターを形成するカラーフィルター形成工程が、インクジェット法によって所定パターンの三原色のカラーフィルターを形成するカラーフィルター形成工程であることを特徴とする請求項１または２に記載のカラーフィルター付きパネル基板の製造方法。
【請求項４】
前記透明基板として樹脂基板を用いる場合、透明酸化物層付き樹脂基板上に三原色のカラーフィルターを形成することを特徴とする請求項１〜３の何れか１項に記載のカラーフィルター付きパネル基板の製造方法。
【請求項５】
前記透明酸化物は、ＩＴＯ導電膜、ＩＴＯライン電極およびＩＴＯ個別電極を含むことを特徴とする請求項１〜４の何れか１項に記載のカラーフィルター付きパネル基板の製造方法。
【請求項６】
請求項１〜５の何れか１項に記載のカラーフィルター付きパネル基板の製造方法によって作製されたことを特徴とする情報表示用パネルを構成するカラーフィルター付きパネル基板。
【請求項７】
請求項６に記載したカラーフィルター付きパネル基板ともう一枚のパネル基板とで構成される情報表示用パネルであって、２枚のパネル基板間空間を隔壁で仕切って、カラーフィルターの個数および配置位置に合わせたセルを形成し、このセル内に表示媒体を少なくとも１種類以上封入し、この表示媒体に電界を付与して、表示媒体を移動させて画像等の情報表示を行うことを特徴とする情報表示用パネル。
【請求項８】
前記表示媒体が、少なくとも１種類以上の粒子から成り、光学的反射率と帯電性とを有するものであることを特徴とする請求項７に記載の情報表示用パネル。
【発明の詳細な説明】
【技術分野】
【０００１】
本発明は、表示媒体を駆動させて表示を行う情報表示用パネルに用いるカラーフィルター付きパネル基板の製造方法、その製造方法によって作製されるカラーフィルター付きパネル基板、およびそのカラーフィルター付きパネル基板を用いて構成される情報表示用パネルに関するものである。
【背景技術】
【０００２】
液晶表示装置等のカラー情報表示装置において、装置パネルにブラックマトリックス付きのカラーフィルターを配置してカラー表示を行う技術がある。
【０００３】
液晶表示装置等のカラー情報表示装置の装置パネルにカラーフィルターを配置する従来技術としては、まず、ブラックマトリックスを形成し、次に、そのブラックマトリックスの開口部分にインクジェット法により色材（カラーフィルター材料）を形成することにより、ブラックマトリックス付きカラーフィルター基板とする製造方法（例えば特許文献１参照）がある。
【０００４】
【特許文献１】特開２００３−２２７９２０号公報
【発明の開示】
【発明が解決しようとする課題】
【０００５】
上記従来の製造方法は、基板にバンクを兼ねたブラックマトリックスを形成する工程の前後、およびそのバンクを兼ねたブラックマトリックス開口部分にインクジェット法で色材（カラーフィルター材料）を配置する工程の前後に、種々の基板表面処理を行ってブラックマトリックス付きカラーフィルター基板としていたため、多くの工数を必要としていた。また、上記従来の製造方法は、情報表示用パネルの装置パネルを構成する基板としてガラス基板を用いる場合に、ガラス基板にブラックマトリックス付きカラーフィルターを作製するのに適した製造方法であるため、装置パネルを構成する基板として樹脂基板を用いる場合には適しておらず、樹脂基板にブラックマトリックス付きカラーフィルターを配置することはできなかった。
【０００６】
本発明は、少ない工数で樹脂基板を含む各種基板に配置したカラーフィルターにおける各色の混色部分であるフィルター境界部分を除去し得るカラーフィルター付きパネル基板の製造方法を提供することを第１の目的とする。
本発明は、上記製造方法により各色の混色部分であるフィルター境界部分を除去したカラーフィルター付きパネル基板を提供することを第２の目的とする。
本発明は、上記各色の混色部分であるフィルター境界部分を除去したカラーフィルター付きパネル基板を用いて構成した情報表示用パネルを提供することを第３の目的とする。
【課題を解決するための手段】
【０００７】
上記第１の目的を達成するため、本発明のカラーフィルター付きパネル基板の製造方法は、表示媒体を駆動させて表示を行う情報表示用パネルに用いるカラーフィルター付きパネル基板の製造方法であって、透明基板に所定パターンの三原色のカラーフィルターを形成するカラーフィルター形成工程と、前記三原色のカラーフィルターにおける各色の混色部分であるフィルター境界部分をドライエッチングによって除去するフィルター境界部分除去工程と、を行うことを特徴とする。
【０００８】
上記第１の目的を達成するため、本発明のカラーフィルター付きパネル基板の製造方法は、表示媒体を駆動させて表示を行う情報表示用パネルに用いるカラーフィルター付きパネル基板の製造方法であって、透明基板に所定パターンの三原色のカラーフィルターを形成するカラーフィルター形成工程と、前記三原色のカラーフィルターにおける各色の混色部分であるフィルター境界部分をドライエッチングによって除去するフィルター境界部分除去工程と、前記フィルター境界部分除去工程によって三原色のカラーフィルターの混色部分が除去されたフィルター境界部分の全てまたは一部に、インクジェット法によってブラックマトリックスを形成するブラックマトリックス形成工程と、を行うことを特徴とする。
【０００９】
本発明のカラーフィルター付きパネル基板の製造方法の好適例としては、前記透明基板に所定パターンの三原色のカラーフィルターを形成するカラーフィルター形成工程が、インクジェット法によって所定パターンの三原色のカラーフィルターを形成するカラーフィルター形成工程であること、前記透明基板として樹脂基板を用いる場合、透明酸化物層付き樹脂基板上に三原色のカラーフィルターを形成すること、および、前記透明酸化物は、ＩＴＯ導電膜、ＩＴＯライン電極およびＩＴＯ個別電極を含むこと、がある。
【００１０】
上記第２の目的を達成するため、本発明のカラーフィルター付きパネル基板は、請求項１〜４の何れか１項に記載のカラーフィルター付きパネル基板の製造方法によって作製されたことを特徴とする。
【００１１】
上記第３の目的を達成するため、本発明の情報表示用パネルは、請求項５に記載したカラーフィルター付きパネル基板ともう一枚のパネル基板とで構成される情報表示用パネルであって、２枚のパネル基板間空間を隔壁で仕切って、カラーフィルターの個数および配置位置に合わせたセルを形成し、このセル内に表示媒体を少なくとも１種類以上封入し、この表示媒体に電界を付与して、表示媒体を移動させて画像等の情報表示を行うことを特徴とする。
【００１２】
本発明の情報表示用パネルの好適例としては、前記表示媒体が、少なくとも１種類以上の粒子から成り、光学的反射率と帯電性とを有するものであること、がある。
【発明の効果】
【００１３】
上記本発明のカラーフィルター付きパネル基板の製造方法によれば、表示媒体を駆動させて表示を行う情報表示用パネルに用いるカラーフィルター付きパネル基板を作製する際には、カラーフィルター形成工程で、透明基板にインクジェット法によって所定パターンの三原色のカラーフィルターを形成し、フィルター境界部分除去工程で、前記三原色のカラーフィルターにおける各色の混色部分であるフィルター境界部分をドライエッチングによって除去するから、少ない工数で樹脂基板を含む各種基板に配置したカラーフィルターにおける各色の混色部分であるフィルター境界部分を除去し得るカラーフィルター付きパネル基板の製造方法を提供することができる。
【００１４】
上記本発明のカラーフィルター付きパネル基板の製造方法によれば、表示媒体を駆動させて表示を行う情報表示用パネルに用いるカラーフィルター付きパネル基板を作製する際には、カラーフィルター形成工程で、透明基板にインクジェット法によって所定パターンの三原色のカラーフィルターを形成し、フィルター境界部分除去工程で、前記三原色のカラーフィルターにおける各色の混色部分であるフィルター境界部分をドライエッチングによって除去し、ブラックマトリックス形成工程で、前記フィルター境界部分除去工程によって三原色のカラーフィルターの混色部分が除去されたフィルター境界部分の全てまたは一部に、インクジェット法によってブラックマトリックスを形成するから、少ない工数で樹脂基板を含む各種基板に配置したカラーフィルターにおける各色の混色部分であるフィルター境界部分を除去し得るカラーフィルター付きパネル基板の製造方法を提供することができる。
【００１５】
上記本発明のカラーフィルター付きパネル基板によれば、請求項１〜４の何れか１項に記載のカラーフィルター付きパネル基板の製造方法によって作製されたものであるから、各色の混色部分であるフィルター境界部分を除去したカラーフィルター付きパネル基板を提供することができる。
【００１６】
上記本発明の情報表示用パネルによれば、請求項５に記載したカラーフィルター付きパネル基板ともう一枚のパネル基板とで構成される情報表示用パネルであって、２枚のパネル基板間空間を隔壁で仕切って、カラーフィルターの個数および配置位置に合わせたセルを形成し、このセル内に表示媒体を少なくとも１種類以上封入し、この表示媒体に電界を付与して、表示媒体を移動させて画像等の情報表示を行う情報表示用パネルであるから、各色の混色部分であるフィルター境界部分を除去したカラーフィルター付きパネル基板を用いて構成した情報表示用パネルを提供することができる。
【発明を実施するための最良の形態】
【００１７】
以下、本発明を実施するための最良の形態を図面に基づき詳細に説明する。
【００１８】
まず、本発明の製造方法で得たカラーフィルター付きパネル基板を適用する情報表示用パネルの構成について説明する。本発明の製造方法で得たカラーフィルター付きパネル基板を適用する情報表示用パネルでは、対向する２枚の基板間に封入した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１９】
本発明の対象となる情報表示用パネルの原理的構成を図１（ａ），（ｂ）〜図３（ａ），（ｂ）、図４（ａ）〜（ｄ）、図５（ａ），（ｂ）〜図７（ａ），（ｂ）に基づき説明する。
【００２０】
図１（ａ），（ｂ）に示す例では、基板１および基板２（カラーフィルター付きパネル基板を構成するパネル基板）間に隔壁４で仕切られた複数のセルを形成し、３個のセル２１−１，２１−２，２１−３で表示単位を構成し、表示媒体としてセル２１−１〜２１−３の全てに表示用白色粒子３Ｗａの粒子群からなる白色表示媒体３Ｗおよび表示用黒色粒子３Ｂａの粒子群からなる黒色表示媒体３Ｂを封入し、第１のセル２１−１内の観察者側基板２のライン電極６上に赤色カラーフィルター２２Ｒを設け、第２のセル２１−２内の観察者側基板２のライン電極６上に緑色カラーフィルター２２Ｇを設け、第３のセル２１−３内の観察者側基板２のライン電極６上に青色カラーフィルター２２Ｂを設けて、カラー表示を行っている。本例では、図１（ａ）に示すように、観察者側に、第１セル２１−１〜第３のセル２１−３の全てにおいて白色表示媒体３Ｗを移動することで、観察者に対し白色表示を行い、図１（ｂ）に示すように、観察者側に、第１セル２１−１〜第３のセル２１−３の全てにおいて黒色表示媒体３Ｂを移動することで、観察者に対し黒色表示を行うことを示している。表示媒体の移動のさせ方で、多色カラー表示ができる。なお、図１（ａ）、（ｂ）において、手前にある隔壁は省略している。また、カラーフィルター付きパネル基板において積層される電極とカラーフィルターとの関係は、図１（ａ），（ｂ）に示したものと反対の関係にすることもできる。
【００２１】
図２（ａ），（ｂ）に示す例では、基板１および基板２（カラーフィルター付きパネル基板を構成するパネル基板）間に隔壁４で仕切られた複数のセルを形成し、３個のセル２１−１，２１−２，２１−３で表示単位を構成し、表示媒体としてセル２１−１〜２１−３の全てに表示用白色粒子３Ｗａの粒子群からなる白色表示媒体３Ｗおよび表示用黒色粒子３Ｂａの粒子群からなる黒色表示媒体３Ｂを封入し、第１のセル２１−１内の観察者側基板２の個別電極６上に赤色カラーフィルター２２Ｒを設け、第２のセル２１−２内の観察者側基板２の個別電極６上に緑色カラーフィルター２２Ｇを設け、第３のセル２１−３内の観察者側基板２の個別電極６上に青色カラーフィルター２２Ｂを設けて、カラー表示を行っている。本例では、図２（ａ）に示すように、観察者側に、第１セル２１−１〜第３のセル２１−３の全てにおいて白色表示媒体３Ｗを移動することで、観察者に対し白色表示を行い、図２（ｂ）に示すように、観察者側に、第１セル２１−１〜第３のセル２１−３の全てにおいて黒色表示媒体３Ｂを移動することで、観察者に対し黒色表示を行うことを示している。表示媒体の移動のさせ方で、多色カラー表示ができる。なお、図２（ａ）、（ｂ）において、手前にある隔壁は省略している。また、カラーフィルター付きパネル基板において積層される電極とカラーフィルターとの関係は、図２（ａ），（ｂ）に示したものと反対の関係にすることもできる。
【００２２】
図３（ａ），（ｂ）に示す例では、基板１および基板２（カラーフィルター付きパネル基板を構成するパネル基板）間に隔壁４で仕切られた複数のセルを形成し、３個のセル２１−１，２１−２，２１−３で表示単位を構成し、表示媒体としてセル２１−１〜２１−３の全てに表示用白色粒子３Ｗａの粒子群からなる白色表示媒体３Ｗおよび表示用黒色粒子３Ｂａの粒子群からなる黒色表示媒体３Ｂを封入し、第１のセル２１−１内の観察者側基板２上に設けた赤色カラーフィルター２２Ｒ上にライン電極６を設け、第２のセル２１−２内の観察者側基板２上に設けた緑色カラーフィルター２２Ｇ上にライン電極６を設け、第３のセル２１−３内の観察者側基板２上に設けた青色カラーフィルター２２Ｂ上にライン電極６を設けて、カラー表示を行っている。本例では、図３（ａ）に示すように、観察者側に、第１セル２１−１〜第３のセル２１−３の全てにおいて白色表示媒体３Ｗを移動することで、観察者に対し白色表示を行い、図３（ｂ）に示すように、観察者側に、第１セル２１−１〜第３のセル２１−３の全てにおいて黒色表示媒体３Ｂを移動することで、観察者に対し黒色表示を行うことを示している。表示媒体の移動のさせ方で、多色カラー表示ができる。なお、図３（ａ）、（ｂ）において、手前にある隔壁は省略している。ここでは隔壁４と基板２との間にブラックマトリックス１４を設けている。また、カラーフィルター付きパネル基板において積層される電極とカラーフィルターとの関係は、図３（ａ），（ｂ）に示したものと反対の関係にすることもできる。
【００２３】
図４（ａ）〜（ｄ）に示す例では、基板１および基板２（カラーフィルター付きパネル基板を構成するパネル基板）間に隔壁４で仕切られた複数のセルを形成し、３個のセル２１−１，２１−２，２１−３で表示単位を構成し、表示媒体としてセル２１−１〜２１−３の全てに表示用白色粒子３Ｗａの粒子群からなる白色表示媒体３Ｗおよび表示用黒色粒子３Ｂａの粒子群からなる黒色表示媒体３Ｂを封入し、第１のセル２１−１内の観察者側基板２上に赤色カラーフィルター２２Ｒを設け、第２のセル２１−２内の観察者側基板２上に緑色カラーフィルター２２Ｇを設け、第３のセル２１−３内の観察者側基板２上に青色カラーフィルター２２Ｂを設けて、カラー表示を行っている。本例では、まず、図４（ａ）、（ｃ）に示すように、隔壁４で形成された各セルにおいて、基板１の外側に設けた外部電界形成手段２３と基板２の外側に設けた外部電界形成手段２４との間に電圧を印加することにより発生する電界に応じて、白色表示媒体３Ｗおよび黒色表示媒体３Ｂを基板１、２と垂直に移動させる。そして、図４（ｂ）に示すように白色表示媒体３Ｗを観察者に視認させて白色の表示を行い、図４（ｄ）に示すように黒色表示媒体３Ｂを観察者に視認させて黒色の表示を行うことを示している。表示媒体の移動のさせ方で、多色カラー表示ができる。なお、図４（ａ）〜（ｄ）において、手前にある隔壁は省略している。また、カラーフィルター付きパネル基板において積層される電極とカラーフィルターとの関係は、図４（ａ）〜（ｄ）に示したものと反対の関係にすることもできる。
【００２４】
図５（ａ）、（ｂ）に示す例では、基板１および基板２（カラーフィルター付きパネル基板を構成するパネル基板）間に隔壁４で仕切られた複数のセルを形成し、３個のセル２１−１，２１−２，２１−３で表示単位を構成し、表示媒体としてセル２１−１〜２１−３の全てに表示用白色粒子３Ｗａの粒子群からなる白色表示媒体３Ｗを封入し、第１のセル２１−１内の観察者側基板２上に赤色カラーフィルター２２Ｒを設けるとともに背面側基板１上に電極５，６および黒色板７を設け、第２のセル２１−２内の観察者側基板２上に緑色カラーフィルター２２Ｇを設けるとともに背面側基板１上に電極５，６および黒色板７を設け、第３のセル２１−３内の観察者側基板２上に青色カラーフィルター２２Ｂを設けるとともに背面側基板１上に電極５，６および黒色板７を設けて、カラー表示を行っている。本例では、基板１に設けた電極５と基板２に設けた電極６との間に電圧を印加することにより発生する電界に応じて、白色表示媒体３Ｗを基板１、２と平行方向に移動させ、図５（ａ）に示すように白色表示媒体３Ｗを観察者に視認させて白色の表示を行い、図５（ｂ）に示すように黒色板７を観察者に視認させて黒色の表示を行うことを示している。表示媒体の移動のさせ方で、多色カラー表示ができる。なお、図５（ａ）、（ｂ）において、手前にある隔壁は省略している。ここでは隔壁４と基板２との間にブラックマトリックス１４を設けている。また、カラーフィルター付きパネル基板において積層される電極とカラーフィルターとの関係は、図５（ａ）、（ｂ）に示したものと反対の関係にすることもできる。白色表示媒体を黒色表示媒体に代え、黒色板を白色板に代えても同様のカラー表示が行える。
【００２５】
以上の説明は、粒子群からなる白色表示媒体３Ｗを粉流体からなる白色表示媒体に、粒子群からなる黒色表示媒体３Ｂを粉流体からなる黒色表示媒体に、それぞれ置き換えた場合も同様に適用することができる。粉流体については後述する。
【００２６】
図６（ａ）、（ｂ）に示す例では、基板１および基板２（カラーフィルター付きパネル基板を構成するパネル基板）間に隔壁４で仕切られた複数のセルを形成し、表示媒体としてセルの全てに、白色と黒色とを半々に塗り分けた二極性を有する回転ボール８を内部に絶縁性液体とともに封止したマイクロカプセル９を配置するとともに観察者側基板２上に赤色カラーフィルター２２Ｒ、緑色カラーフィルター２２Ｇおよび青色カラーフィルター２２Ｂを設けて、各セルを表示単位としたカラー表示を行っている。本例では、基板１に設けた電極５と基板２に設けた電極６との間に電圧を印加することにより発生する電界に応じて、マイクロカプセル９内の回転ボール８を回転駆動して、図６（ａ）に示すように全ての回転ボール８の白色部分を観察者に視認させて白色の表示を行い、図６（ｂ）に示すように全ての回転ボール８の黒色部分を観察者に視認させて黒色の表示を行うことを示している。表示媒体（回転ボール）の回転のさせ方で、多色カラー表示ができる。なお、図６（ａ）、（ｂ）において、手前にある隔壁は省略している。ここでは隔壁４と基板２との間にブラックマトリックス１４を設けている。
【００２７】
図７（ａ）、（ｂ）に示す例では、基板１および基板２（カラーフィルター付きパネル基板を構成するパネル基板）間に隔壁４で仕切られた複数のセルを形成し、表示媒体としてセルの全てに、白色表示媒体３Ｗと黒色表示媒体３Ｂとを絶縁性液体とともに封止したマイクロカプセル９を配置するとともに観察者側基板２上に赤色カラーフィルター２２Ｒ、緑色カラーフィルター２２Ｇおよび青色カラーフィルター２２Ｂを設けて、各セルを表示単位としたカラー表示を行っている。本例では、基板１に設けた電極５と基板２に設けた電極６との間に電圧を印加することにより発生する電界に応じて、マイクロカプセル９内の表示媒体を移動して、図７（ａ）に示すように全てのマイクロカプセル内の白色表示媒体３Ｗを観察者に視認させて白色の表示を行い、図７（ｂ）に示すように全てのマイクロカプセル内の黒色表示媒体３Ｂを観察者に視認させて黒色の表示を行うことを示している。表示媒体の移動のさせ方で、多色カラー表示ができる。なお、図７（ａ）、（ｂ）において、手前にある隔壁は省略している。ここでは隔壁４と基板２との間にブラックマトリックス１４を設けている。
【００２８】
以下、本発明のカラーフィルター付きパネル基板の製造方法、その製造方法によって作製されるカラーフィルター付きパネル基板、およびそのカラーフィルター付きパネル基板を用いて作製される情報表示用パネルを図面に基づいて詳細に説明する。
【００２９】
図８（ａ）〜（ｅ）は本発明のカラーフィルター付きパネル基板の製造方法の一例を説明するための図であり、図９（ａ），（ｂ）は図８（ａ）〜（ｅ）の製造方法により作製したカラーフィルター付きパネル基板を用いて構成した情報表示用パネルを示す図である。
図９（ａ），（ｂ）に示す情報表示用パネルに用いるカラーフィルター付きパネル基板を作製する際には、まず、図８（ａ）に示すように、表示面側基板である基板２上に、インクジェット法やフォトリソ法などによって３色（光の三原色；Ｒ，Ｇ，Ｂ）のカラーフィルター１１Ｒ，１１Ｇ，１１Ｂから成るカラーフィルター層１１を形成する。基板２としては、透明ガラス基板や透明樹脂基板（透明フィルム基板）を単独で使用できる他、ＳｉＯ２等の透明な金属酸化物層付き基板や、ＩＴＯ等の透明な金属酸化物層またはＩＴＯ等の透明な電極付き基板を使用することができるが、この例ではガラス基板を用いている。このカラーフィルター層の形成後には、カラーフィルター層１１の隣り合うフィルターの境界部分に混色部分１２が生じる。
【００３０】
次に、図８（ｂ）に示すように、３色（Ｒ，Ｇ，Ｂ）のカラーフィルター層の境界部分が開口したマスク１３を介してドライエッチングを行い、基板２上のカラーフィルター層の混色部分１２が除去された図８（ｃ）の構造を形成する。
ドライエッチングの方法は特に限定しないが、プラズマエッチングやＲＩＥ（リアクティブイオンエッチング）を用いることができ、ＲＩＥとしては酸素ＲＩＥを用いることが好ましい。
一例として、酸素ＲＩＥでは、酸素雰囲気中でエッチング装置の電極間に、カラーフィルター層を形成した基板をセットし、電極に電圧を印加することでプラズマを発生させ、発生したプラズマを基板に対して垂直に、カラーフィルター層境界の混色部分１２に当てることで、エッチングを行うことができる。酸素ＲＩＥは、有機物のみをエッチングするため、カラーフィルター層の下に、電極等の有機物でない層がある場合には自由度の高いドライエッチングで混色部分を除去できるし、カラーフィルター層の下が直接樹脂基板である場合であっても、条件を制御することによって、樹脂基板をエッチングすることなく混色部分のみを除去できる利点がある。したがって、特に、ドライエッチングの方法として酸素ＲＩＥを用いた場合に効果的であり、酸素ＲＩＥは、有機物のみをエッチングして除去するため、ガラス等の無機物の基板や、基板上に設けたＩＴＯ電極あるいはＳｉＯ２膜やＩＴＯ膜等の金属酸化物層をエッチングして除去することがなく、有機物からなるカラーフィルター層の混色部分のみを除去することができる。樹脂製フィルム基板でも、基板上に設けたＩＴＯ電極あるいはＳｉＯ２膜やＩＴＯ膜が樹脂基板に対する保護層の役割を果たすので、樹脂基板を損傷することはない。
【００３１】
次に、図８（ｄ）に示すように、エッチング除去されたカラーフィルター層境界部分に、インクジェット法にてブラックマトリックス１４を形成する。このとき、エッチング処理された部分（ブラックマトリックス１４を形成する部分）は、全面に水酸基もしくは酸素原子が導入されて親水性が付与されるので、水性インクで構成されるブラックマトリックス材が強固に形成されるため、図８（ｅ）に示す「カラーフィルター層１１およびブラックマトリックス１４が形成されたカラーフィルター付きパネル基板」を形成することができる。
カラーフィルター層１１およびブラックマトリックス１４が形成された後に、必要に応じて、それらの上に保護層を形成する。この保護層を形成する手法は従来から一般的に実施されている手法である。
【００３２】
以上により作製された「カラーフィルター層１１およびブラックマトリックス１４が形成されたカラーフィルター付きパネル基板」は、図９（ａ）に示すようにして「隔壁４によって形成されたセル内に白色表示媒体３Ｗおよび黒色表示媒体３Ｂを封止したもう１つの基板である基板１」と貼り合わせることにより、図９（ｂ）に示す情報表示用パネルとなる。
【００３３】
図１０（ａ）〜（ｅ）は本発明のカラーフィルター付きパネル基板の製造方法の他の例を説明するための図であり、図１１（ａ），（ｂ）は図１０（ａ）〜（ｅ）の製造方法により作製したカラーフィルター付きパネル基板を用いて構成した情報表示用パネルを示す図である。
図１１（ａ），（ｂ）に示す情報表示用パネルに用いるカラーフィルター付きパネル基板を作製する際には、まず、図１０（ａ）に示すように、表示面側基板である基板２上に、透明なセラミック系酸化物であるＳｉＯ２から成る透明酸化物層１５を積層して透明酸化物層付き基板２を形成し、次に、透明酸化物層１５上に、インクジェット法やフォトリソ法などによって３色（Ｒ，Ｇ，Ｂ）のカラーフィルター１１Ｒ，１１Ｇ，１１Ｂから成るカラーフィルター層１１を形成する。基板２としては、透明ガラス基板や透明樹脂基板（透明フィルム基板）を単独で使用できる他、ＳｉＯ２等の透明な金属酸化物層付き基板や、ＩＴＯ等の透明な導電性金属酸化物層またはＩＴＯ等の透明な電極付き基板を使用することができるが、この例では透明ＳｉＯ２層付き樹脂基板を用いている。
樹脂基板にＳｉＯ２ 等の透明酸化物層を設けると、水分透過のバリア機能を付加できるので好ましい。透明酸化物層としては、ＳｉＯ２層、酸化亜鉛（ＺｎＯ）層、酸化インジウム錫（ＩＴＯ）層、アンチモン錫酸化物（ＡＴＯ）層などがあり、水分透過のバリア性からはＳｉＯ２層が好ましい。
【００３４】
その後、図８（ｂ）〜（ｅ）と同様にして図１０（ｂ）〜（ｅ）に示す工程を行うことにより、図１０（ｅ）に示す「透明酸化物層１５上にカラーフィルター層１１およびブラックマトリックス１４が形成されたカラーフィルター付きパネル基板」を形成することができる。
カラーフィルター層１１およびブラックマトリックス１４が形成された後に、必要に応じて、それらの上に保護層を形成する。この保護層を形成する手法は従来から一般的に実施されている手法である。
【００３５】
以上により作製された「透明酸化物層１５上にカラーフィルター層１１およびブラックマトリックス１４が形成されたカラーフィルター付きパネル基板」は、図１１（ａ）に示すようにして「隔壁４によって形成されたセル内に白色表示媒体３Ｗおよび黒色表示媒体３Ｂを封止したもう１つの基板である絶縁層１５付き基板１」と貼り合わせることにより、図１１（ｂ）に示す情報表示用パネルとなる。
【００３６】
図１２（ａ）〜（ｆ）は本発明のカラーフィルター付きパネル基板の製造方法の他の例を説明するための図であり、図１３（ａ），（ｂ）は図１２（ａ）〜（ｅ）の製造方法により作製したカラーフィルター付きパネル基板を用いて構成した情報表示用パネルを示す図である。
図１３（ａ），（ｂ）に示す情報表示用パネルに用いるカラーフィルター付きパネル基板を作製する際には、まず、図１２（ａ）に示すように、表示面側基板である基板２上に、透明電極であるライン電極６を積層してライン電極付き基板２を形成し、次に、ライン電極６上に、インクジェット法やフォトリソ法などによって３色（Ｒ，Ｇ，Ｂ）のカラーフィルター１１Ｒ，１１Ｇ，１１Ｂから成るカラーフィルター層１１を形成する。基板２としては、透明ガラス基板や透明樹脂基板（透明フィルム基板）を単独で使用できる他、ＳｉＯ２等の透明なセラミック系酸化物層付き基板を使用することができるが、この例では透明ＩＴＯ電極付きガラス基板または透明ＩＴＯ電極付き樹脂基板を用いている。
【００３７】
その後、図８（ｂ）〜（ｅ）と同様にして図１２（ｂ）〜（ｅ）に示す工程を行うことにより、図１２（ｅ）に示す「ライン電極６上にカラーフィルター層１１およびブラックマトリックス１４が形成されたカラーフィルター付きパネル基板」を形成することができる。
その後、カラーフィルター層１１およびブラックマトリックス１４上に保護層１６を積層することにより、図１２（ｆ）に示す「ライン電極６上にカラーフィルター層１１およびブラックマトリックス１４が形成され、さらにそれらの上に保護層１６が形成されたカラーフィルター付きパネル基板」を形成することができる。この保護層を形成する手法は従来から一般的に実施されている手法である。
【００３８】
以上により作製された「ライン電極６上にカラーフィルター層１１およびブラックマトリックス１４が形成され、さらにそれらの上に保護層１６が形成されたカラーフィルター付きパネル基板」は、図１３（ａ）に示すようにして「隔壁４によって形成されたセル内に白色表示媒体３Ｗおよび黒色表示媒体３Ｂを封止したもう１つの基板であるライン電極５付き基板１」と貼り合わせることにより、図１３（ｂ）に示す情報表示用パネルとなる。
【００３９】
図１４（ａ）〜（ｇ）は本発明のカラーフィルター付きパネル基板の製造方法の他の例を説明するための図であり、図１５（ａ），（ｂ）は図１４（ａ）〜（ｅ）の製造方法により作製したカラーフィルター付きパネル基板を用いて構成した情報表示用パネルを示す図である。
図１５（ａ），（ｂ）に示す情報表示用パネルに用いるカラーフィルター付きパネル基板を作製する際には、まず、図１４（ａ）に示すように、一方の面（図示例では下面）にライン電極（例えばＩＴＯ電極）６を形成した表示面側基板である基板２の他方の面（図示例では上面）に、透明酸化物層１５を積層して透明酸化物層付き基板２を形成し、次に、図１４（ｂ）に示すように、透明酸化物層１５上に、インクジェット法やフォトリソ法などによって３色（Ｒ，Ｇ，Ｂ）のカラーフィルター１１Ｒ，１１Ｇ，１１Ｂから成るカラーフィルター層１１を形成する。基板２としては、透明ガラス基板や透明樹脂基板（透明フィルム基板）を単独で使用できる他、予めＳｉＯ２等の透明なセラミック系酸化物層や、ＩＴＯ等の透明な導電性金属酸化物層またはＩＴＯ等の透明な電極が形成されているものを使用することができるが、この例では透明電極および透明酸化物層が予め両面に別々に形成された基板を用いている。
【００４０】
その後、図１２（ｂ）〜（ｅ）と同様にして図１４（ｃ）〜（ｆ）に示す工程を行うことにより、図１４（ｆ）に示す「透明電極および透明酸化物層付き基板２の透明酸化物層１５上にカラーフィルター層１１およびブラックマトリックス１４が形成されたカラーフィルター付きパネル基板」を形成することができる。
その後、カラーフィルター層１１およびブラックマトリックス１４上に保護層１６を積層することにより、図１４（ｇ）に示す「透明電極および透明酸化物層付き基板２の透明酸化物層１５上にカラーフィルター層１１およびブラックマトリックス１４が形成され、さらにそれらの上に保護層１６が形成されたカラーフィルター付きパネル基板」を形成することができる。この保護層を形成する手法は従来から一般的に実施されている手法である。
【００４１】
以上により作製された「透明電極および透明酸化物層付き基板２の透明酸化物層１５上にカラーフィルター層１１およびブラックマトリックス１４が形成され、さらにそれらの上に保護層１６が形成されたカラーフィルター付きパネル基板」は、図１５（ａ）に示すようにして「隔壁４によって形成されたセル内に白色表示媒体３Ｗおよび黒色表示媒体３Ｂを封止したもう１つの基板であるライン電極５付き基板１」と貼り合わせることにより、図１５（ｂ）に示す情報表示用パネルとなる。この情報表示用パネルは、表示媒体と接する面は全てが電極面となっている。
【００４２】
図１６（ａ）〜（ｇ）は本発明のカラーフィルター付きパネル基板の製造方法の他の例を説明するための図であり、図１７（ａ），（ｂ）は図１６（ａ）〜（ｇ）の製造方法により作製したカラーフィルター付きパネル基板を用いて構成した情報表示用パネルを示す図である。
図１７（ａ），（ｂ）に示す情報表示用パネルに用いるカラーフィルター付きパネル基板を作製する際には、まず、図１６（ａ）に示すように、一方の面（図示例では下面）に透明導電部材層１７を形成した表示面側基板である基板２の他方の面（図示例では上面）に、透明酸化物層１５を積層して透明酸化物層付き基板２を形成し、次に、図１６（ｂ）に示すように、透明酸化物層１５上に、インクジェット法やフォトリソ法などによって３色（Ｒ，Ｇ，Ｂ）のカラーフィルター１１Ｒ，１１Ｇ，１１Ｂから成るカラーフィルター層１１を形成する。基板２としては、透明ガラス基板や透明樹脂基板（透明フィルム基板）を単独で使用できる他、予めＳｉＯ２等の透明なセラミック系酸化物層や、ＩＴＯ等の透明な導電性金属酸化物層またはＩＴＯ等の透明な電極が形成されているものを使用することができるが、この例では透明電極および透明酸化物層が予め両面に別々に形成された基板を用いている。
【００４３】
その後、図１４（ｃ）〜（ｆ）と同様にして図１６（ｃ）〜（ｆ）に示す工程を行うことにより、図１６（ｆ）に示す「透明導電部材層および透明酸化物層付き基板２の透明酸化物層１５上にカラーフィルター層１１およびブラックマトリックス１４が形成されたカラーフィルター付きパネル基板」を形成することができる。なお、ブラックマトリックス１４が不要である場合は、ブラックマトリックス材層の代わりに別の樹脂製色材層を設けることもできるし、何も設けないこともできる。
【００４４】
ブラックマトリックス付きカラーフィルター層が形成された基板表面は、観察側（パネル外側）表面となるので、このブラックマトリックス付きカラーフィルター層の上に透明樹脂で保護層を形成することが好ましい。
図１６（ｆ）の後に、カラーフィルター層１１およびブラックマトリックス１４上に保護層１６を積層することにより、図１６（ｇ）に示す「透明導電部材層および透明酸化物層付き基板２の透明酸化物層１５上にカラーフィルター層１１およびブラックマトリックス１４が形成され、さらにそれらの上に保護層１６が形成されたカラーフィルター付きパネル基板」を形成することができる。この保護層を形成する手法は従来から一般的に実施されている手法である。
【００４５】
以上により作製された「透明導電部材層および透明酸化物層付き基板２の透明酸化物層１５上にカラーフィルター層１１およびブラックマトリックス１４が形成され、さらにそれらの上に保護層１６が形成されたカラーフィルター付きパネル基板」は、図１７（ａ）に示すようにして「隔壁４によって形成されたセル内に白色表示媒体３Ｗおよび黒色表示媒体３Ｂを封止したもう１つの基板である導電部材層１８付き基板１」と貼り合わせることにより、図１７（ｂ）に示す情報表示用パネルとなる。この情報表示用パネルは、表示媒体と接する面は全てが導電部材面となっている。
【００４６】
図１８（ａ）〜（ｇ）は本発明のカラーフィルター付きパネル基板の製造方法の他の例を説明するための図であり、図１９（ａ），（ｂ）は図１８（ａ）〜（ｇ）の製造方法により作製したカラーフィルター付きパネル基板を用いて構成した情報表示用パネルを示す図である。
図１９（ａ），（ｂ）に示す情報表示用パネルに用いるカラーフィルター付きパネル基板を作製する際には、まず、図１８（ａ）に示すように、表示面側基板である基板２上に、透明酸化物層１５を積層して透明酸化物層付き基板２を形成し、次に、図１８（ｂ）に示すように、透明酸化物層１５上に、インクジェット法やフォトリソ法などによって３色（Ｒ，Ｇ，Ｂ）のカラーフィルター１１Ｒ，１１Ｇ，１１Ｂから成るカラーフィルター層１１を形成する。基板２としては、透明ガラス基板や透明樹脂基板（透明フィルム基板）を単独で使用できる他、予めＳｉＯ２等の透明なセラミック系酸化物層や、ＩＴＯ等の透明な導電性金属酸化物層またはＩＴＯ等の透明な電極が形成されているものを使用することができるが、この例では透明電極および透明酸化物層が予め両面に別々に形成された基板を用いている。
【００４７】
その後、図１４（ｃ）〜（ｆ）と同様にして図１８（ｃ）〜（ｆ）に示す工程を行うことにより、図１８（ｆ）に示す「透明酸化物層付き基板２の透明酸化物層１５上にカラーフィルター層１１およびブラックマトリックス１４が形成されたカラーフィルター付きパネル基板」を形成することができる。
【００４８】
基板表面が観察側（パネル外側）表面となるように、ブラックマトリックス付きカラーフィルター層が形成された上に透明電極または透明導電層を設ける場合も、このブラックマトリックス付きカラーフィルター層が形成された上に透明樹脂層を設けることができる。
図１８（ｆ）の後に、カラーフィルター層１１およびブラックマトリックス１４上に透明導電層（透明電極）１９を積層することにより、図１８（ｇ）に示す「透明酸化物層付き基板２の透明酸化物層１５上にカラーフィルター層１１およびブラックマトリックス１４が形成され、さらにそれらの上に透明導電層（透明電極）１９が形成されたカラーフィルター付きパネル基板」を形成することができる。透明導電層とカラーフィルタ層との間に保護層を形成する手法は従来から一般的に実施されている手法である。
【００４９】
以上により作製された「透明酸化物層付き基板２の透明酸化物層１５上にカラーフィルター層１１およびブラックマトリックス１４が形成され、さらにそれらの上に透明導電層（透明電極）１９が形成されたカラーフィルター付きパネル基板」は、図１９（ａ）に示すようにして「隔壁４によって形成されたセル内に白色表示媒体３Ｗおよび黒色表示媒体３Ｂを封止したもう１つの基板である導電部材層１８付き基板１」と貼り合わせることにより、図１９（ｂ）に示す情報表示用パネルとなる。この情報表示用パネルは、表示媒体と接する面は全てが導電部材面となっている。
【００５０】
図２０（ａ），（ｂ）は図１４（ａ）〜（ｅ）の製造方法に準じて作製したカラーフィルター付きパネル基板を用いて構成した本発明の情報表示用パネルを示す図である。この情報表示用パネルの表示面側基板である基板２には、上記製造方法の図１４（ａ）で透明酸化物層１５の代わりに透明電極（ライン電極）６を基板２上に積層することにより、図２０（ａ）に示す「ライン電極付き基板２のライン電極６上にカラーフィルター層１１およびブラックマトリックス１４が形成されたカラーフィルター付きパネル基板」を形成することができる。この「ライン電極付き基板２のライン電極６上にカラーフィルター層１１およびブラックマトリックス１４が形成されたカラーフィルター付きパネル基板」は、図２０（ａ）に示すようにして「隔壁４によって形成されたセル内に白色表示媒体３Ｗおよび黒色表示媒体３Ｂを封止したもう１つの基板である透明電極（ライン電極）５付き基板１」と貼り合わせることにより、図２０（ｂ）に示す情報表示用パネルとなる。
【００５１】
図２１（ａ），（ｂ）は図１０（ａ）〜（ｅ）の製造方法に準じて作製したカラーフィルター付きパネル基板を用いて構成した本発明の情報表示用パネルを示す図である。この情報表示用パネルの表示面側基板である基板２には、上記製造方法の図１０（ａ）において透明酸化物層１５上に透明電極（個別電極）６を積層することにより、図２１（ａ）に示す「透明酸化物層および個別電極付き基板２の個別電極６上にカラーフィルター層１１およびブラックマトリックス１４が形成されたカラーフィルター付きパネル基板」を形成することができる。この「透明酸化物層および個別電極付き基板２の個別電極６上にカラーフィルター層１１およびブラックマトリックス１４が形成されたカラーフィルター付きパネル基板」は、図２１（ａ）に示すようにして「隔壁４によって形成されたセル内に白色表示媒体３Ｗおよび黒色表示媒体３Ｂを封止したもう１つの基板である透明酸化物層１５および透明電極（個別電極）５付き基板１」と貼り合わせることにより、図２１（ｂ）に示す情報表示用パネルとなる。
【００５２】
図２２（ａ），（ｂ）は図２１（ａ），（ｂ）の情報表示用パネルの構成を一部変更した本発明の情報表示用パネルを示す図である。この情報表示用パネルの表示面側基板である基板２は、図２１（ａ），（ｂ）の情報表示用パネルの基板２と同一構成であるが、もう１つの基板である基板１は、カラーフィルターの各色間に設ける隔壁４を省略されており、かつ、基板１の隔壁４によって形成されたセル内に白色表示媒体３Ｗおよび黒色表示媒体３Ｂを充填する方法が図２１（ａ），（ｂ）の情報表示用パネルとは異なっている。すなわち、図２１（ａ），（ｂ）の情報表示用パネルではセル内に直接的に白色表示媒体３Ｗおよび黒色表示媒体３Ｂを充填しているが、図２２（ａ），（ｂ）の情報表示用パネルでは、セル内には、絶縁液体２５とともに白色表示媒体３Ｗおよび黒色表示媒体３Ｂを収容したマイクロカプセル２６を配置している。上記基板２を基板１と貼り合わせることにより、図２２（ｂ）に示す情報表示用パネルとなる。
【００５３】
図２３（ａ），（ｂ）は図２２（ａ），（ｂ）の情報表示用パネルの構成を一部変更した本発明の情報表示用パネルを示す図である。この情報表示用パネルの表示面側基板である基板２およびもう１つの基板である基板１は、図２２（ａ），（ｂ）の情報表示用パネルの基板２および基板１と同一構成であるが、基板１の隔壁４によって形成されたセル内に充填する表示媒体が図２２（ａ），（ｂ）の情報表示用パネルとは異なっている。すなわち、図２２（ａ），（ｂ）の情報表示用パネルではセル内に絶縁液体２５とともに白色表示媒体３Ｗおよび黒色表示媒体３Ｂを収容したマイクロカプセル２６を配置しているが、図２３（ａ），（ｂ）の情報表示用パネルでは、セル内には、表示媒体として白色と黒色とを半々に塗り分けた二極性を有する回転ボール型表示媒体２７を内部に充填したマイクロカプセル２６を配置している。上記基板２を基板１と貼り合わせることにより、図２３（ｂ）に示す情報表示用パネルとなる。
【００５４】
図２４（ａ）〜（ｌ）は本発明のカラーフィルター付きパネル基板の製造方法のうちカラーフィルターおよびブラックマトリックスを配置する方法を説明するための図である。左列（ａ）〜（ｆ）では、透明電極が配置された面とは反対側の基板面にカラーフィルター、ブラックマトリックスを設ける方法例を示しており、右列（ｇ）〜（ｌ）では、透明電極が配置された面にカラーフィルター、ブラックマトリックスを設ける方法例を示している。まず、図２４（ａ）、（ｇ）に示す表示面側基板である基板２に透明電極（例えばＩＴＯライン電極）６が形成された透明電極付き透明基板を用意し、基板２の上面にインクジェット法やフォトリソ法やプリント法によって３色（光の三原色；Ｒ，Ｇ，Ｂ）のカラーフィルター１１Ｒ，１１Ｇ，１１Ｂから成るカラーフィルター層１１となるカラーフィルター材を配置する。このとき、カラーフィルターの混色部分１２が生じる。基板２としては、ＩＴＯ等の透明電極付き基板を使用することができる他、透明ガラス基板や透明樹脂基板（透明フィルム基板）を単独で使用したり、ＳｉＯ２等の透明な透湿バリア層（金属酸化物層）付き基板や、ＩＴＯ等の透明な金属酸化物層付き基板を用いることができる。次に、図２４（ｂ）、（ｈ）に示すように、カラーフィルターの混色部分１２に対応する部分１３ａが開口したマスク１３を介してドライエッチングを行い、基板２上のカラーフィルターの混色部分１２が除去された図２４（ｃ）、（ｉ）、図２４（ｄ）、（ｊ）の構造を形成する。その後、図２４（ｅ）、（ｋ）、図２４（ｆ）、（ｌ）に示すように、カラーフィルターの混色部分１２に対応する部分に、インクジェット法やフォトリソ法やプリント法によってブラックマトリックス材（例えば硬化型のインク）１４を配置してブラックマトリックス層を形成する。
【００５５】
図２５（ａ）〜（ｆ）は本発明の情報表示用パネルにおけるカラーフィルターおよびブラックマトリックスの配置例を示す図である。
図２５（ａ）は、赤（Ｒ）、緑（Ｇ）、青（Ｂ）、無色（Ｗ）のカラーフィルターを２×２で配置するとともに、全ての境界部にブラックマトリックスを配置した例を示している。
図２５（ｂ）は、赤（Ｒ）、緑（Ｇ）、青（Ｂ）、無色（Ｗ）のカラーフィルターを２×２で配置するとともに、図示した境界部のみにブラックマトリックスを配置した例を示している。
図２５（ｃ）は、赤（Ｒ）、緑（Ｇ）、青（Ｂ）のカラーフィルターを一列配置するとともに、図示した境界部のみにブラックマトリックスを配置した例を示している。
図２５（ｄ）は、赤（Ｒ）、緑（Ｇ）、青（Ｂ）のカラーフィルターを一列配置するとともに、全ての境界部にブラックマトリックスを配置した例を示している。
図２５（ｅ）は、赤（Ｒ）、緑（Ｇ）、青（Ｂ）のカラーフィルターを一列配置した例を示している。この例では、ブラックマトリックスを配置していない。
図２５（ｆ）は、赤（Ｒ）、緑（Ｇ）、青（Ｂ）、無色（Ｗ）のカラーフィルターを一列配置するとともに、全ての境界部にブラックマトリックスを配置した例を示している。
【００５６】
上記において、カラーフィルター層１１をドライエッチングにより削った部分に形成するブラックマトリックス１４は、必要な部分にのみ設ければよく、全ての部分に設けなくてもよいし、必要がない場合には全く設けなくてもよい。
【００５７】
本発明のカラーフィルター付きパネル基板の製造方法によれば、表示媒体を駆動させて表示を行う情報表示用パネルに用いるカラーフィルター付きパネル基板を作製する際には、カラーフィルター形成工程で、透明基板にインクジェット法によって所定パターンの三原色のカラーフィルター１１Ｒ，１１Ｇ，１１Ｂを形成し、フィルター境界部分除去工程で、前記三原色のカラーフィルターにおける各色の混色部分であるフィルター境界部分１２をドライエッチングによって除去し、ブラックマトリックス形成工程で、前記フィルター境界部分除去工程によって三原色のカラーフィルターの混色部分が除去されたフィルター境界部分の全てまたは一部に、インクジェット法によってブラックマトリックス１４を形成するから、少ない工数で樹脂基板を含む各種基板に配置したカラーフィルターにおける各色の混色部分であるフィルター境界部分を除去して、その部分にブラックマトリックスを配置したカラーフィルター付きパネル基板の製造方法を提供することができる。
【００５８】
また、本発明のカラーフィルター付きパネル基板によれば、上記カラーフィルター付きパネル基板の製造方法によって作製されたものであるから、各色の混色部分であるフィルター境界部分１２を除去して、その部分にブラックマトリックス１４を配置したカラーフィルター付きパネル基板を提供することができる。
【００５９】
さらに、本発明の情報表示用パネルによれば、上記カラーフィルター付きパネル基板の製造方法によって作製されたカラーフィルター付きパネル基板ともう一枚のパネル基板とで構成される情報表示用パネルであって、２枚のパネル基板間空間を隔壁で仕切って、カラーフィルターの個数および配置位置に合わせたセルを形成し、このセル内に表示媒体を少なくとも１種類以上封入し、この表示媒体に電界を付与して、表示媒体を移動させて画像等の情報表示を行う情報表示用パネルであるから、各色の混色部分であるフィルター境界部分１２を除去して、その部分にブラックマトリックス１４を配置したカラーフィルター付きパネル基板を用いて構成した情報表示用パネルを提供することができる。
【００６０】
以下、本発明のカラーフィルター付きパネル基板を用いた情報表示用パネルを構成する各部材について説明する。
【００６１】
本発明のカラーフィルター付きパネルの基板については、パネル外側から表示媒体の色が確認できる透明な基板であり、可視光の透過率が高くかつ耐熱性の良い材料が好適である。情報表示用パネルの背面側基板は透明な基板でも不透明な基板でも構わない。上記基板としては、ガラスやセラミックス等の無機系基板や、ポリエチレンテレフタレート（ＰＥＴ）、ポリエチレンテレナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系基板を用いることが可能である。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００６２】
基板に設ける電極の電極形成材料としては、アルミニウム、銀、ニッケル、銅、金等の金属類や酸化インジウム錫（ＩＴＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法や、導電剤を溶媒や合成樹脂バインダーに混合して塗布してパターニング形成する方法が用いられる。視認側（表示面側）基板に設ける電極は透明である必要があるが、背面側基板に設ける電極は透明である必要がない。いずれの場合もパターン形成可能である導電性である上記材料を好適に用いることができる。なお、電極厚みは、導電性が確保でき光透過性に支障がなければ良く、３〜１０００ｎｍ、好ましくは５〜４００ｎｍが好適である。背面側基板に設ける電極の材質や厚みなどは上述した表示面側基板に設ける電極と同様であるが、透明である必要はない。なお、この場合の外部電圧入力は、直流あるいは交流を重畳しても良い。
【００６３】
必要に応じて基板に設ける隔壁については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図２６に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示装置に搭載する情報表示用パネルに好適に用いることができるが、これらのうち、レジストフィルムを用いるフォトリソ法や金型転写法が好適に用いられる。
【００６４】
次に、本発明で表示媒体として例えば用いる粉流体について説明する。なお、本発明で用いる粉流体の名称については、本出願人が「電子粉流体（登録商標）：登録番号4636931」の権利を得ている。
【００６５】
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。
【００６６】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明で固体状物質を分散質とするものである。
【００６７】
本発明で用いる情報表示用パネルは、少なくとも一方が透明な、対向する基板間に、例えば気体中に固体粒子が分散質として安定に浮遊するエアロゾル状態で高流動性を示す粉流体を封入するものであり、このような粉流体は、粉体の流動性を示す指数である安息角を測定できないほど流動性に富んでおり、小さな電界の力等でクーロン力などにより容易に安定して移動させることができる。
本発明に用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、情報表示用パネルでは、気体中に固体状の物質が分散質として比較的安定に浮遊する状態で表示媒体として用いられる。
【００６８】
次に、本発明のカラーフィルター付きパネル基板を用いる情報表示用パネルにおいて表示媒体を構成する表示用有色粒子（以下、粒子ともいう）について説明する。表示用有色粒子は、そのまま該表示用有色粒子だけで構成して表示媒体としたり、その他の粒子と合わせて構成して表示媒体としたり、粉流体となるように調整、構成して表示媒体としたりして用いられる。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００６９】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００７０】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００７１】
着色剤としては、以下に例示するような、有機または無機の各種、各色の顔料、染料が使用可能である。
【００７２】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００７３】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００７４】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００７５】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。その他、上記した添加剤を複数組合せて本発明で用いる表示媒体を構成する表示用白色粒子や表示用黒色粒子を作製することができる。このうち、表示用白色粒子には酸化チタンなどの白色顔料を用いることが好ましく、表示用黒色粒子にはカーボンブラックなどの黒色顔料を用いることが好ましい。
上記着色剤を配合して所望の色の表示用有色粒子を作製できる。
【００７６】
また、本発明で用いる表示用有色粒子（以下、粒子ともいう）は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００７７】
さらに本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。
【００７８】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００７９】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００８０】
さらに、表示用有色粒子で構成する粒子群や粉流体等の表示媒体を気体中空間で駆動する情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ），（ｂ）、図２（ａ），（ｂ）、図３（ａ），（ｂ）、図４（ａ）〜（ｄ）、図５（ａ），（ｂ）、図６（ａ），（ｂ）、図７（ａ），（ｂ）、図９（ｂ）、図１１（ｂ）、図１３（ｂ）、図１５（ｂ）、図１７（ｂ）、図１９（ｂ）、図２０（ｂ）、図２１（ｂ）、図２２（ｂ）、図２３（ｂ）において、対向する基板１、基板２に挟まれる部分から、電極５、６、表示媒体３の占有部分８基板の内側に電極を設けた場合）、隔壁４の占有部分（隔壁を設けた場合）、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００８１】
本発明に係る情報表示用パネルにおける基板と基板との間隔は、表示媒体が移動できて、コントラストを維持できればよいが、通常１０〜５００μｍ、好ましくは１０〜２００μｍに調整される。
対向する基板間の気体中空間における表示媒体の体積占有率は５〜７０％が好ましく、さらに好ましくは５〜６０％である。７０％を超える場合には表示媒体としての移動に支障をきたし、５％未満の場合にはコントラストが不明確となり易い。
本発明のカラーフィルター付きパネル基板を適用できる情報表示用パネルは上記のものに限られず、液晶方式、電気泳動方式、回転ボール方式等の情報表示用パネルを用いることができる。
【産業上の利用可能性】
【００８２】
本発明の製造方法によって作製される本発明のカラーフィルター付きパネル基板を用いた情報表示用パネルは、ノートパソコン、電子手帳、ＰＤＡ（Personal Digital Assistants ）と呼ばれる携帯型情報機器、携帯電話、ハンディターミナル等のモバイル機器の表示部、電子書籍、電子新聞、電子マニュアル（電子取扱説明書）等の電子ペーパー、看板、ポスター、黒板やホワイトボード等の掲示板、電子卓上計算機、家電製品、自動車用品等の表示部、ポイントカード、ＩＣカード等のカード表示部、電子広告、情報ボード、電子ＰＯＰ（Point Of Presence 、Point Of Purchase advertising ）、電子値札、電子棚札、電子楽譜、ＲＦ−ＩＤ機器の表示部のほか、ＰＯＳ端末、カーナビゲーション装置、時計など様々な電子機器の表示部に好適に用いられる。
なお、本発明に係る情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式や、外部の電界形成手段を利用する、駆動回路を有しないタイプの表示用パネル（いわゆるリライタブルペーパー）における外部電界駆動方式など、種々のタイプの表示用パネルに対応した駆動方式を用いることできる。
【図面の簡単な説明】
【００８３】
【図１】（ａ），（ｂ）は本発明の情報表示用パネルの原理的構成を示す図である。
【図２】（ａ），（ｂ）は本発明の情報表示用パネルの原理的構成を示す図である。
【図３】（ａ），（ｂ）は本発明の情報表示用パネルの原理的構成を示す図である。
【図４】（ａ）〜（ｄ）は本発明の情報表示用パネルの原理的構成を示す図である。
【図５】（ａ），（ｂ）は本発明の情報表示用パネルの原理的構成を示す図である。
【図６】（ａ），（ｂ）は本発明の情報表示用パネルの原理的構成を示す図である。
【図７】（ａ），（ｂ）は本発明の情報表示用パネルの原理的構成を示す図である。
【図８】（ａ）〜（ｅ）は本発明の情報表示用パネルの製造方法の一例を説明するための図である。
【図９】（ａ），（ｂ）は図８（ａ）〜（ｅ）の製造方法により作製した基板を用いて構成した情報表示用パネルを示す図である。
【図１０】（ａ）〜（ｅ）は本発明の情報表示用パネルの製造方法の他の例を説明するための図である。
【図１１】（ａ），（ｂ）は図１０（ａ）〜（ｅ）の製造方法により作製した基板を用いて構成した情報表示用パネルを示す図である。
【図１２】（ａ）〜（ｆ）は本発明の情報表示用パネルの製造方法の他の例を説明するための図である。
【図１３】（ａ），（ｂ）は図１２（ａ）〜（ｆ）の製造方法により作製した基板を用いて構成した情報表示用パネルを示す図である。
【図１４】（ａ）〜（ｇ）は本発明の情報表示用パネルの製造方法の他の例を説明するための図である。
【図１５】（ａ），（ｂ）は図１４（ａ）〜（ｇ）の製造方法により作製した基板を用いて構成した情報表示用パネルを示す図である。
【図１６】（ａ）〜（ｇ）は本発明の情報表示用パネルの製造方法の他の例を説明するための図である。
【図１７】（ａ），（ｂ）は図１６（ａ）〜（ｇ）の製造方法により作製した基板を用いて構成した情報表示用パネルを示す図である。
【図１８】（ａ）〜（ｇ）は本発明の情報表示用パネルの製造方法の他の例を説明するための図である。
【図１９】（ａ），（ｂ）は図１８（ａ）〜（ｇ）の製造方法により作製した基板を用いて構成した情報表示用パネルを示す図である。
【図２０】（ａ），（ｂ）は図１０（ａ）〜（ｅ）の製造方法に準じて作製した基板を用いて構成した本発明の情報表示用パネルを示す図である。
【図２１】（ａ），（ｂ）は図１０（ａ）〜（ｅ）の製造方法に準じて作製した基板を用いて構成した本発明の情報表示用パネルを示す図である。
【図２２】（ａ），（ｂ）は図２１（ａ），（ｂ）の情報表示用パネルの構成を一部変更した本発明の情報表示用パネルを示す図である。
【図２３】（ａ），（ｂ）は図２２（ａ），（ｂ）の情報表示用パネルの構成を一部変更した本発明の情報表示用パネルを示す図である。
【図２４】（ａ）〜（ｌ）は本発明のカラーフィルター付きパネル基板の製造方法のうちカラーフィルターおよびブラックマトリックスを配置する方法を説明するための図である。
【図２５】（ａ）〜（ｆ）は本発明の情報表示用パネルにおけるカラーフィルターおよびブラックマトリックスの配置例を示す図である。
【図２６】本発明の対象となる情報表示用パネルにおける隔壁の形状の一例を示す図である。
【符号の説明】
【００８４】
１  背面側基板
２  表示面側透明基板
３  表示媒体（粒子群、粉流体）
３Ｗ  白色表示媒体
３Ｂ  黒色表示媒体
３Ｗａ  表示用白色粒子
３Ｂａ  表示用黒色粒子
４  隔壁
５  電極
６  透明電極
７  黒色板
８  回転ボール
９  マイクロカプセル
１１，１１Ｒ，１１Ｇ，１１Ｂ  カラーフィルター
１２  混色部分（フィルター境界部分）
１３  マスク
１４  ブラックマトリックス
１５  透明酸化物層
１６  保護層
１７  透明導電部材層
１８  導電部材層
１９  透明導電層（透明電極）
２１−１，２１−２，２１−３  セル
２２Ｒ，２２Ｇ，２２Ｂ  カラーフィルター
２３，２４  電界形成手段
２５  絶縁液体
２６  マイクロカプセル
２７  回転ボール型表示媒体
【図１】
2008116895.tif 000003
【図２】
2008116895.tif 000004
【図３】
2008116895.tif 000005
【図４】
2008116895.tif 000006
【図５】
2008116895.tif 000007
【図６】
2008116895.tif 000008
【図７】
2008116895.tif 000009
【図８】
2008116895.tif 000010
【図９】
2008116895.tif 000011
【図１０】
2008116895.tif 000012
【図１１】
2008116895.tif 000013
【図１２】
2008116895.tif 000014
【図１３】
2008116895.tif 000015
【図１４】
2008116895.tif 000016
【図１５】
2008116895.tif 000017
【図１６】
2008116895.tif 000018
【図１７】
2008116895.tif 000019
【図１８】
2008116895.tif 000020
【図１９】
2008116895.tif 000021
【図２０】
2008116895.tif 000022
【図２１】
2008116895.tif 000023
【図２２】
2008116895.tif 000024
【図２３】
2008116895.tif 000025
【図２４】
2008116895.tif 000026
【図２５】
2008116895.tif 000027
【図２６】
2008116895.tif 000028